(57)【要約】【課題】従来の画像表示装置では、その画像表示装置に備えられている表示手段が有する画素の数より少ない数の画素で構成されている原画像を表示するには、多くの電力が必要となる。【解決手段】第１の数の画素が第１の配列様式で配列された第１の配列様式の表示手段１０と、第１の数より小さい第２の数の画素が第２の配列様式で配列された原画像に基づいて、その原画像の内容を保持しつつ、隣接する複数の画素の輝度が同一となるように、第１の数の画素が第１の配列様式で配列された簡易変換画像を生成する画像生成手段８を備える。更に、その画像生成手段８によって生成された簡易変換画像を構成する各画素の輝度を、第１の配列様式の表示手段１０の対応する画素に割り当てることにより、簡易変換画像を第１の配列様式の表示手段１０により表示させる表示制御手段を備える。【選択図】  図１
2004280015.tif 000002
【特許請求の範囲】
【請求項１】
第１の数の画素が第１の配列様式で配列された表示手段と、
前記第１の数より小さい第２の数の画素が第２の配列様式で配列された原画像に基づいて、その原画像の内容を保持しつつ、隣接する複数の画素の輝度が同一となるように、前記第１の数以下の数の画素が前記第１の配列様式で配列された簡易変換画像を生成する画像生成手段と、
その画像生成手段によって生成された簡易変換画像を構成する各画素の輝度を、前記表示手段の対応する画素に割り当てることにより、前記簡易変換画像を表示させる表示制御手段とを備えた画像表示装置。
【請求項２】
前記画像生成手段は、前記原画像の少なくとも一部の各画素の輝度がそれぞれ水平方向及び／又は垂直方向に同一の数連続するように、前記簡易変換画像を生成する請求項１に記載の画像表示装置。
【請求項３】
前記画素は複数の色の色画素で構成されており、
前記隣接する複数の画素の輝度が同一となることには、同一の色の隣接する複数の前記色画素の輝度が同一となることが含まれる請求項１に記載の画像表示装置。
【請求項４】
電池の残量を検知する電池残量検知手段を備え、
その電池残量検知手段によって検知された電池の残量が所定の量より少ない場合に、前記画像生成手段は前記簡易変換画像を生成する請求項１に記載の画像表示装置。
【請求項５】
ユーザから指示された場合に、前記画像生成手段は前記簡易変換画像を生成する請求項１に記載の画像表示装置。
【請求項６】
電池の残量を検知する電池残量検知手段と、
その電池残量検知手段によって検知された電池の残量が所定の量より少ない場合に、電池残量低下情報を報知する報知手段とを備えた請求項５に記載の画像表示装置。
【請求項７】
前記隣接する複数の画素の個数は、電池の残量又はユーザからの指示に基づいて決定される請求項４から６のいずれかに記載の画像表示装置。
【請求項８】
第１の数より小さい第２の数の画素が第２の配列様式で配列された原画像に基づいて、その原画像の内容を保持しつつ、隣接する複数の画素の輝度が同一となるように、前記第１の数以下の数の画素が第１の配列様式で配列された簡易変換画像を生成する画像生成手段と、
その画像生成手段によって生成された簡易変換画像を構成する各画素の輝度を、前記第１の数の画素が前記第１の配列様式で配列された表示手段の対応する画素に割り当てることにより、前記簡易変換画像を前記表示手段により表示させる制御手段としてコンピュータを機能させるためのプログラム。
【発明の詳細な説明】
【０００１】
【発明の属する技術分野】
本発明は、ＰＣ（Ｐｅｒｓｏｎａｌ  Ｃｏｍｐｕｔｅｒ）や携帯電話等に用いられるＬＣＤ（Ｌｉｑｕｉｄ  Ｃｒｙｓｔａｌ  Ｄｉｓｐｌａｙ）や、ＴＶ等の大画面モニターに用いられるＰＤＰ（Ｐｌａｓｍａ  Ｄｉｓｐｌａｙ  Ｐａｎｅｌ）等の画像表示装置に関するものである。
【０００２】
【従来の技術】
ＬＣＤやＰＤＰ等の画像表示装置は、画像に応じて輝度を変える機能を有する微細な画素を多数有する表示手段を備えている。しかしながら、全ての表示手段の水平方向の画素数及び垂直方向の画素数が同一というわけではない。また一つの画素は原色を発光する三つの色画素から構成されるが、この色画素の配列様式も一様ではない。
【０００３】
例えば、図３に示すように、水平方向の一列において、赤色の色画素（Ｒ），緑色の色画素（Ｇ），及び青色の色画素（Ｂ）がこの順に並べられた画素が、Ｍ個（Ｍは例えば８００）配列されていて、このような列が垂直方向にＮ個（Ｎは例えば６００）配置されている表示手段１０（以下、表示手段１０を「第１の配列様式の表示手段１０」という。）が存在する。
【０００４】
他方、別の例では、図４に示すように、水平方向の一列において、赤色の色画素（Ｒ），緑色の色画素（Ｇ），及び青色の色画素（Ｂ）がこの順に並べられた画素が、ｍ個（ｍ＜Ｍ，ｍは例えば３２０）配列されていて、このような列が垂直方向にｎ個（ｎ＜Ｎ，ｎは例えば２４０）配置されている表示手段２０（以下、表示手段２０を「第２の配列様式の表示手段２０」という。）も存在する。
【０００５】
ところで、第２の配列様式の表示手段２０における各画素と一対一に対応したｍ×ｎ（例えば３２０×２４０）個の画素で構成されている画像（以下、その画像を「原画像」という。）は、第２の配列様式の表示手段２０によって表示される場合、原画像の各画素の輝度が第２の配列様式の表示手段２０の対応する画素に割り当てられることにより表示される。しかしながら、第１の配列様式の表示手段１０が有する画素の数は、第２の配列様式の表示手段２０が有する画素の数、すなわち原画像を構成する画素の数よりも多い。そのため、原画像がその内容が保持された状態で第１の配列様式の表示手段１０によって表示される場合、先ず、原画像が、後述する重み付け平均法等の方法を用いたフィルタ処理されて、第１の配列様式の表示手段１０が有する各画素に対応するＭ×Ｎ（例えば８００×６００）個の画素で構成される変換画像が生成される。そして、変換画像を構成する各画素の輝度が第１の配列様式の表示手段１０の対応する画素に割り当てられることにより、原画像は、その内容が保たれた状態で変換画像として第１の配列様式の表示手段１０によって表示される。
【０００６】
以下に、原画像に基づいて変換画像を生成し、変換画像を第１の配列様式の表示手段１０により表示する従来の画像表示装置を、図１６〜図１８を用いて説明する。
【０００７】
従来の画像表示装置では、例えば原画像が記録されているＤＶＤ等の記録媒体がユーザにより装着手段１に装着された後に、ユーザにより表示指示が入力手段３により入力された場合、ＤＶＤ等の記録媒体に記録されている原画像をこの入力手段３が読み取る。また、この入力手段３は、読み取られた原画像が第２の配列様式の表示手段２０に対応した画像であることを検出する。
【０００８】
他方、受信手段６が原画像を外部から受信した場合、ユーザにより表示指示が入力手段３により入力されたとき、この入力手段３は、受信された原画像が第２の配列様式の表示手段２０に対応した画像であることを検出する。
【０００９】
このように、原画像が第２の配列様式の表示手段２０に対応した画像であることを検出すると、上記入力手段３は、原画像を構成する各画素の輝度をメモリ（図示しない）に記憶させる。
【００１０】
次に、画像生成手段２８は、原画像における各画素の輝度をメモリから読み出して、後述するようにして、変換画像における各画素の輝度を順に算出させて、変換画像を生成させる。
【００１１】
以下に、変換画像における各画素の輝度の算出方法の一例を示す。画像生成手段２８は、先ず、変換画像の大きさと原画像の大きさとを一致させるとともに、変換画像の各角部を原画像の対応する角部と一致させて、変換画像と原画像とを重ねた状態を仮定する。
【００１２】
その上で、画像生成手段２８は、変換画像の所定の画素の位置Ｐ（Ｘ，Ｙ）に対応する原画像における位置ｐ（ｘ，ｙ）を算出し、その位置ｐ（ｘ，ｙ）の情報を制御手段２４に転送する。制御手段２４は、原画像において、位置ｐ（ｘ，ｙ）から所定の距離範囲内に中心が存在している画素の輝度をメモリから読み出し、画像生成手段２８は、位置ｐ（ｘ，ｙ）と読み出された各輝度の画素の中心位置との距離の逆数に応じて各輝度を重み付け平均し、変換画像における位置Ｐ（Ｘ，Ｙ）の画素の輝度を算出する。
【００１３】
例えば、変換画像における水平方向の画素数が８００であり、垂直方向の画素数が６００であって、原画像における水平方向の画素数が３２０であり、垂直方向の画素数が２４０であり、変換画像及び原画像における画素がストライプ配列されている場合を想定する。
【００１４】
この場合、図１７に示すように、変換画像における位置Ｐ（Ｘ＝１７，Ｙ＝１１）は、原画像では位置ｐ（ｘ＝６．８，ｙ＝４．４）に相当する。ここで、上記所定の距離を、原画像において隣接する二つの画素の中心相互の距離ｒとすると、図１８に示すように、原画像において、位置ｐ（ｘ＝６．８，ｙ＝４．４）から距離ｒ範囲内に中心が存在している画素は、３箇所の位置ｐ１（６，４），ｐ２（６，３），ｐ３（７，４）の画素である。したがってこの場合、制御手段２４は、原画像における３箇所の位置ｐ１（６，４），ｐ２（６，３），ｐ３（７，４）の各画素の輝度をメモリから読み出す。
【００１５】
そして、画像生成手段２８は、位置ｐ（ｘ＝６．８，ｙ＝４．４）と３箇所の位置ｐ１（６，４），ｐ２（６，３），ｐ３（７，４）それぞれとの距離の逆数に応じて上記３箇所の位置の各輝度を重み付け平均し、変換画像における位置Ｐ（Ｘ＝１７，Ｙ＝１１）の画素の輝度を算出する。仮に、上記の３箇所の位置ｐ１（６，４），ｐ２（６，３），ｐ３（７，４）の赤色（Ｒ）の色画素の輝度がそれぞれａ，ｂ，ｃであって、位置ｐ（ｘ＝６．８，ｙ＝４．４）と上記３箇所の位置ｐ１（６，４），ｐ２（６，３），ｐ３（７，４）の中心との距離がそれぞれＡ，Ｂ，Ｃであると仮定すると、画像生成手段２８は、下記数１に基づいて変換画像における位置Ｐ（Ｘ＝１７，Ｙ＝１１）の赤色（Ｒ）の色画素の輝度Ｒ（Ｘ＝１７，Ｙ＝１１）を算出する。
【００１６】
【数１】
2004280015.tif 000003
このようにして、画像生成手段２８は変換画像における画素の輝度が一つずつ順に算出すると、その都度、算出された輝度を対応する変換画像の画素の位置と関連付けてメモリに記憶させる。
【００１７】
そして、画像生成手段２８は、このメモリに記憶された変換画像における全画素の輝度を第１の配列様式の表示手段１０の対応する画素に割り当てる。これにより、原画像は、その内容が保持された状態で変換画像として第１の配列様式の表示手段１０により表示される。
【００１８】
【特許文献１】
特開平０８−００９３４７号公報
【００１９】
【発明が解決しようとする課題】
上述したように、第１の配列様式の表示手段１０が有する画素の数より少ない数の画素で構成されている原画像は、画像生成手段２８によって変換画像が生成されることにより、変換画像として第１の配列様式の表示手段１０により表示される。
【００２０】
しかしながら、変換画像における全画素の輝度を画像生成手段２８が算出する際には、原画像における所定の画素の輝度をメモリから読み出し、画像生成手段２８によりその輝度を算出させ、算出された輝度をメモリに記憶させる。その後に、変換画像の別の位置の画素の輝度を算出させるために、画像生成手段２８は、上記と同様に、原画像における所定の画素の輝度をメモリから読み出し、その輝度を算出し、算出された輝度をメモリに記憶させる。
【００２１】
したがって、変換画像におけるＭ×Ｎ個の全画素の輝度を算出させるためには、図１９に示すように、原画像における所定の画素の輝度をメモリから読み出すステップ（図１９のステップ１１）と、変換画像における１画素の輝度を算出するステップ（図１９のステップ１２）と、算出された輝度をメモリに記憶させるステップ（図１９のステップ１３）とが、Ｍ×Ｎ回繰り返される。このため、変換画像が第１の配列様式の表示手段１０により表示される際、多くの電力が必要となる。変換画像が動画の１フレームであれば、動画は多数のフレームで構成されているので、その動画が第１の配列様式の表示手段１０により表示される際、さらに多くの電力が必要となる。その結果、画像表示装置を駆動する電池の容量は急速に低下し、ついには電池の容量が尽きて、動画が途中から表示されなくなるという事態が生じる場合もある。
【００２２】
したがって、例えば、新幹線で大阪から東京に上京しようとしているユーザが、新幹線内で、ＤＶＤに記録された映画（動画の一例）を従来の画像表示装置により再生させて映画鑑賞を行なっている場合、再生途中で電池の容量が尽きて画像が表示されなくなり、映画鑑賞を楽しめなくなるという事態も生じる。ユーザは、時間を有効に利用するため、新幹線内で映画を最後まで鑑賞したいと要望する。
【００２３】
このように、従来の画像表示装置では、その画像表示装置に備えられている表示手段が有する画素の数より少ない数の画素で構成されている原画像を表示するには、多くの電力が必要となるという課題がある。
【００２４】
そこで、本発明は、上記課題を考慮し、表示手段が有する画素の数より少ない数の画素で構成されている原画像を、少ない電力で、上記表示手段により表示させる画像表示装置を提供することを目的とする。
【００２５】
【課題を解決するための手段】
上記課題を解決し上記目的を達成するために、本発明の画像表示装置は、まず第１の数の画素が第１の配列様式で配列された表示手段を備えることを前提とする。そして、上記第１の数より小さい第２の数の画素が第２の配列様式で配列された原画像に基づいて、その原画像の内容を保持しつつ、隣接する複数の画素の輝度が同一となるように、上記第１の数以下の数の画素が上記第１の配列様式で配列された簡易変換画像を生成する画像生成手段を備える。更に、その画像生成手段によって生成された簡易変換画像を構成する各画素の輝度を、上記表示手段の対応する画素に割り当てることにより、上記簡易変換画像を上記表示手段により表示させる表示制御手段を備える。
【００２６】
また、本発明のプログラムは、第１の数より小さい第２の数の画素が第２の配列様式で配列された原画像に基づいて、その原画像の内容を保持しつつ、隣接する複数の画素の輝度が同一となるように、上記第１の数以下の数の画素が第１の配列様式で配列された簡易変換画像を生成する画像生成手段と、その画像生成手段によって生成された簡易変換画像を構成する各画素の輝度を、上記第１の数の画素が上記第１の配列様式で配列された表示手段の対応する画素に割り当てることにより、上記簡易変換画像を上記表示手段により表示させる表示制御手段としてコンピュータを機能させるためのプログラムである。
【００２７】
【発明の実施の形態】
以下に、本発明の実施の形態を図面を参照して説明する。
【００２８】
図１に本実施の形態における画像表示装置の構成を示し、図２にその画像表示装置の動作手順を示す。
【００２９】
図１に示すように、本実施の形態における画像表示装置は、図３に示す上記第１の配列様式の表示手段１０を備えている。本実施の形態では、説明の便宜上、映画を構成する各フレーム（以下、そのフレームを「原画像」という。）が、従来の技術において説明した場合と同様に、図４に示す上記第２の配列様式の表示手段２０に対応しており、それら各原画像を、その内容を保持させた状態で第１の配列様式の表示手段１０により表示させる場合について説明する。
【００３０】
ここで、第１の配列様式の表示手段１０及び第２の配列様式の表示手段２０を再度説明する。第１の配列様式の表示手段１０は、図３を用いて上述したように、水平方向の一列において、赤色の色画素（Ｒ），緑色の色画素（Ｇ），及び青色の色画素（Ｂ）がこの順に一個づつ並べられた画素が、Ｍ個（Ｍは例えば８００）配列されていて、このような列が垂直方向にＮ個（Ｎは例えば６００）配置されている表示手段である。他方、第２の配列様式の表示手段２０は、図４を用いて上述したように、水平方向の一列において、赤色の色画素（Ｒ），緑色の色画素（Ｇ），及び青色の色画素（Ｂ）がこの順に一個づつ並べられた画素が、ｍ個（ｍ＜Ｍ，ｍは例えば３２０）配列されていて、このような列が垂直方向にｎ個（ｎ＜Ｎ，ｎは例えば２４０）配列されている表示手段である。なお、本実施の形態では、Ｍ，Ｎ，ｍ，ｎはいずれも自然数であるものとする。また、第１の配列様式の表示手段１０及び第２の配列様式の表示手段２０における画素は、図３及び図４に示すように、ストライプ状に配列されているものとする。また、上述したように原画像が第２の配列様式の表示手段２０に対応しているので、原画像における画素もストライプ状に配列されているものとする。
【００３１】
さて、ＤＶＤ等の記録媒体に記録されている映画を本実施の形態の画像表示装置の第１の配列様式の表示手段１０により表示させる場合、ユーザは、そのＤＶＤ等の記録媒体を装着手段１に装着した後、表示指示を入力手段３により入力する。その表示指示により、この入力手段３はその映画を構成する所定の原画像を装着手段１に装着されている記録媒体から読み取る（図２のステップ１）。そして、上記入力手段３は、読み取られた原画像が第２の配列様式の表示手段２０に対応した画像であることを検出するとともに、読み取られた原画像における各画素の輝度をメモリ（図示しない）に記憶させる（図２のステップ２）。
【００３２】
ここで、電池残量検知手段１１は、本実施の形態の画像表示装置の各構成手段の駆動源としての電池１２の残量が予め決められた所定の量以上であるか否かを検知する（図２のステップ３）。
【００３３】
電池１２の残量が予め決められた所定の量以上である場合、画像生成手段８は、従来と同様に、原画像の内容が保持された変換画像を表示させるべく、従来の技術において説明したように、原画像における各画素の輝度をメモリから順に読み出す。そして、画像生成手段８は、従来の技術と同様に、変換画像における各画素の輝度を順に算出し、輝度が算出される都度、算出された輝度を対応する変換画像の画素の位置と関連付けてメモリに記憶させる。このようにして、画像生成手段８は変換画像を生成する（図２のステップ４）。これにより、原画像は、その内容が保持された状態で、変換画像として第１の配列様式の表示手段１０によって表示可能となる。
【００３４】
しかしながらその場合、図１９を用いて上述したように、画像生成手段８が原画像における所定の画素の輝度をメモリから読み出すステップ（図１９のステップ１１）と、変換画像における１画素の輝度を算出するステップ（図１９のステップ１２）と、算出された輝度をメモリに記憶させるステップ（図１９のステップ１３）とが、変換画像における全画素数と同じ回数、つまり、第１の配列様式の表示手段１０における全画素数のＭ×Ｎ回繰り返される。このため、多くの電力が消費されるというデメリットが生じる。
【００３５】
他方、電池残量検知手段１１によって検知された電池１２の残量が予め決められた所定の量より少ない場合、画像生成手段８は、原画像を構成する各画素を水平方向及び／又は垂直方向に単に複数連続させることにより、少ない電力で生成可能であって原画像の内容が保持された簡易変換画像を第１の配列様式の表示手段１０により表示させる。そのため、画像生成手段８は、原画像を構成する各画素を水平方向及び／又は垂直方向に単に複数個連続させて簡易変換画像を生成するとした場合の、水平方向及び／又は垂直方向に連続させるべき画素の数を算出する（図２のステップ５）。
【００３６】
具体的には、画像生成手段８は、水平方向に連続させるべき画素の数として、第１の配列様式の表示手段１０の水平方向の各列において存在する画素数Ｍを、原画像の水平方向の各列において存在する画素数ｍ、すなわち、第２の配列様式の表示手段２０の水平方向の各列において存在する画素数ｍで除し、その演算により得られた数以下の最も大きい整数［Ｍ／ｍ］を算出する。例えば、Ｍ＝８００，ｍ＝３２０であれば、画像生成手段８は整数［Ｍ／ｍ］として「２」という整数値を得て、水平方向において、原画像を構成する各画素を連続させるべき数として２を算出する。
【００３７】
同様に、画像生成手段８は、垂直方向に連続させるべき画素の数として、第１の配列様式の表示手段１０の垂直方向の各行において存在する画素数Ｎを、原画像の垂直方向の各行において存在する画素数ｎ、すなわち、第２の配列様式の表示手段２０の垂直方向の各行において存在する画素数ｎで除し、その演算により得られた数以下の最も大きい整数［Ｎ／ｎ］を算出する。例えば、Ｎ＝６００，ｎ＝２４０であれば、画像生成手段８は整数［Ｎ／ｎ］として「２」という整数値を得て、垂直方向において、原画像を構成する各画素を連続させるべき数として２を算出する。
【００３８】
次に、画像生成手段８は、簡易変換画像を生成させるために、上述のように算出した、水平方向についての各画素を連続させるべき数［Ｍ／ｍ］と、垂直方向についての各画素を連続させるべき数［Ｎ／ｎ］、及び原画像における全画素の輝度をメモリから読み出す。
【００３９】
そして、画像生成手段８は、水平方向についての各画素を連続させるべき数［Ｍ／ｍ］と、垂直方向についての各画素を連続させるべき数［Ｎ／ｎ］とに基づいて、原画像における各画素の輝度を、水平方向に整数［Ｍ／ｍ］個連続させるともに、垂直方向に整数［Ｎ／ｎ］個連続させて簡易変換画像を生成する（図２のステップ６）。
【００４０】
以下に、図５及び図６を用いて、簡易変換画像の一例を説明する。
【００４１】
図５は、ある原画像の左上方に位置する画素の一部を示す図である。図５におけるＲ，Ｇ，Ｂは、赤色の色画素（Ｒ），緑色の色画素（Ｇ），及び青色の色画素（Ｂ）それぞれを意味しており、各Ｒ，Ｇ，Ｂの直下の数字は、その色画素の輝度を示している。また、その輝度の直下の（ｘ，ｙ）は、その輝度を有する色画素の原画像における位置を示している。
【００４２】
図６は、整数［Ｍ／ｍ］及び整数［Ｎ／ｎ］がともに「２」である場合であって、図５に一部が示されている原画像を構成する各画素の輝度を水平方向及び垂直方向に２個づつ連続させることにより生成された簡易変換画像の左上方に位置する画素の一部を示す図である。なお、図６におけるＲ，Ｇ，Ｂは、図５と同様に、赤色の色画素（Ｒ），緑色の色画素（Ｇ），及び青色の色画素（Ｂ）それぞれを意味しており、各Ｒ，Ｇ，Ｂの直下の数字は、その色画素の輝度を示している。また、その輝度の直下の（Ｘ，Ｙ）は、その輝度を有する色画素の簡易変換画像における位置を示している。
【００４３】
整数［Ｍ／ｍ］及び整数［Ｎ／ｎ］がともに「２」である場合、図６に示すように、簡易変換画像において、原画像における位置（１，１）の画素の輝度と同一の輝度の画素が、水平方向及び垂直方向にそれぞれ２個づつ連続する。すなわち、簡易変換画像における４箇所の位置（１，１），（２，１），（１，２），（２，２）の各色の色画素の輝度が、原画像における位置（１，１）の対応する色の色画素の輝度と同一となる。
【００４４】
同様に、簡易変換画像における４箇所の位置（３，１），（４，１），（３，２），（４，２）の各色の色画素の輝度は、原画像における位置（１，２）の対応する色の色画素の輝度と同一となる。さらに、簡易変換画像における４箇所の位置（１，３），（２，３），（１，４），（２，４）の各色の色画素の輝度は、原画像における位置（２，１）の対応する色の色画素の輝度と同一となる。
【００４５】
このようにして、画像生成手段８は、原画像における各画素の輝度を水平方向及び／又は垂直方向に複数個連続させることにより簡易変換画像を生成する（図２のステップ６）。
【００４６】
また、表示制御手段９は、変換画像又は簡易変換画像における各画素の輝度をメモリから読み出し、変換画像又は簡易変換画像における各画素の輝度を、第１の配列様式の表示手段１０の対応する画素に割り当てる。これにより、第１の配列様式の表示手段１０は、原画像を、その内容を保持した状態で変換画像又は簡易変換画像として表示する。（図２のステップ７）。
【００４７】
そして、上記の入力手段３が原画像を読み取る手順（図２のステップ１）から第１の配列様式の表示手段１０が変換画像又は簡易変換画像を表示する手順（図２のステップ７）までが、映画を構成する全原画像について行なわれることにより、その映画は、その内容が保持された状態で第１の配列様式の表示手段１０により表示される。
【００４８】
以上説明したように、本実施の形態における画像表示装置は、電池１２の残量が予め決められた所定の量より少ない場合、少ない電力で生成可能であって原画像の内容が保持された簡易変換画像を表示する。そのため、ＤＶＤ等の記録媒体に記録されている映画が途中から表示されなくなるという事態が生じることを回避できる可能性が高くなる。言い換えれば、省電力化が実現され、本実施の形態における画像表示装置の駆動時間を延ばすことができる。
【００４９】
なお、簡易変換画像は、表示制御手段９が簡易変換画像における各画素の輝度を第１の配列様式の表示手段１０の対応する画素に割り当てることにより表示されるので、図７に示すように、第１の配列様式の表示手段１０の左上部よりに表示され、第１の配列様式の表示手段１０の右端及び下端には非表示領域が形成される。そのため、簡易変換画像は、変換画像に比べて小さく表示される。また、簡易変換画像は、原画像を構成する各画素の輝度を、水平方向に整数［Ｍ／ｍ］個連続させるとともに、垂直方向に整数［Ｎ／ｎ］個連続させることにより生成される画像であるので、変換画像に比べて鮮明度は劣る。
【００５０】
また、上述した実施の形態では、映画を構成する各原画像について、入力手段３が原画像を読み取る手順（図２のステップ１）から第１の配列様式の表示手段１０が変換画像又は簡易変換画像を表示する手順（図２のステップ７）までが行なわれるとした。しかしながら、電池残量検知手段１１によって、電池１２の残量が予め決められた所定の量より少ないことが検知された時以降は、その時に行なわれている再生が中断するまでは、電池残量検知手段１１が電池１２の残量が予め決められた所定の量以上であるか否かを検知する手順（図２のステップ３）は行なわれなくてもよい。その場合、電池１２の残量が予め決められた所定の量より少ないことが検知された時以降で再生が中断するまでに再生される原画像については、画像生成手段８は簡易変換画像を生成する。
【００５１】
また、電池残量検知手段１１が電池１２の残量が予め決められた所定の量以上であるか否かを検知する手順（図２のステップ３）は、各原画像の再生時に行なわれるものである、と限定されるものではない。例えば５つの原画像毎等の所定の数の原画像毎に行なわれてもよい。その場合、ある原画像の再生時に電池１２の残量が予め決められた所定の量以上であることが検知された場合、その時から次に電池１２の残量が検知される時までの原画像については、画像生成手段８は変換画像を生成する。他方、ある原画像の再生時に電池１２の残量が予め決められた所定の量より少ないことが検知された場合、その時から次に電池１２の残量が検知される時までの原画像については、画像生成手段８は簡易変換画像を生成する。
【００５２】
また、上述した実施の形態では、説明の便宜上、ＤＶＤ等の記録媒体に記録されている映画を第１の配列様式の表示手段１０により表示させる場合について説明した。しかしながら、ＤＶＤ等の記録媒体に記録されているデータは、映画に限られるものではなく、映画以外の動画の原画像であってもよいし、静止画の原画像であってもよい。
【００５３】
また、本実施の形態における画像表示装置は、ＤＶＤ等の記録媒体に記録されている原画像を表示するものであると限定されない。本実施の形態における画像表示装置は、受信手段６が原画像（例えば、映画等の動画の原画像、又は静止画の原画像）を外部から受信した場合、その受信された原画像に基づく変換画像や簡易変換画像を第１の配列様式の表示手段１０により表示させることもできる。その場合、ユーザにより表示指示が入力手段３に入力されたとき、この入力手段３は、受信された原画像が第２の配列様式の表示手段２０に対応した画像であることを検出し、受信された原画像における各画素の輝度をメモリに記憶させる。それ以降の本実施の形態における画像表示装置の動作は、原画像がＤＶＤ等の記録媒体に記録されている場合と同一である。
【００５４】
また、上述した実施の形態では、電池１２の残量が予め決められた所定の量以上であるか否かに応じて（図２のステップ３参照）、画像生成手段８は、変換画像又は簡易変換画像を生成するとした。しかしならが、図８に示すように、いずれの原画像についても簡易変換画像を生成させるための簡易モードボタン１３が画像表示装置に設けられており、ユーザがその簡易モードボタン１３を押下して簡易モードを選択した場合、いずれの原画像についても簡易変換画像を生成するように、画像生成手段８は構成されていてもよい。例えば、映画を再生する前にユーザが簡易モードボタン１３を押下しておくと、電池１２の容量の低下は最初から遅くなり、映画が途中から表示されなくなるという事態が生じることを回避できる可能性がさらに高くなる。
【００５５】
また、図９に示すように、電池１２の残量が予め決められた所定の量より少ないことが電池残量検知手段１１によって検知されたときに、その旨を示す電池残量低下情報を報知する報知手段１４と、上記簡易モードボタン１３とが画像表示装置に設けられていてもよい。この場合、報知手段１４によって電池残量低下情報が報知されるまでは、画像生成手段８はいずれの原画像についても変換画像を生成し、報知手段１４によって電池残量低下情報が報知された場合であって、かつユーザによって簡易モードボタン１３が押下されたときに、画像生成手段８は、簡易モードボタン１３が押下された時以降に再生される全部の原画像について簡易変換画像を生成する。これにより、電池１２の残量が予め決められた所定の量より少ない場合、電池１２の容量が急速に低下することにより映画が途中から表示されなくなる可能性があっても映画を鮮明に表示させるのか、又は、画質は劣っても映画を最後まで表示させるのか、をユーザに選択させることが可能となる。なお、報知手段１４は、例えば発光ダイオードのような、視覚的に電池残量低下情報を報知する手段であってもよいし、スピーカのような音を用いて聴覚的に電池残量低下情報を報知する手段であってもよい。要するに、報知手段１４は、電池残量低下情報を報知する手段でありさえすればよい。また、第１の配列様式の表示手段１０に報知手段１４の機能を兼ね備えさせておき、第１の配列様式の表示手段１０により電池残量低下情報を表示させてもよい。
【００５６】
また、図６を用いて説明したように、上述した実施の形態では、画像生成手段８は、原画像における各画素の輝度を水平方向に整数［Ｍ／ｍ］個連続させるとともに垂直方向に整数［Ｎ／ｎ］個連続させることにより簡易変換画像を生成するとした。ここで、整数［Ｍ／ｍ］が３以上の整数であれば、画像生成手段８は、水平方向に、同一の輝度の画素を最大３個以上連続させることができるが、２個連続させることもできる。このように、整数［Ｍ／ｍ］が３以上の整数であれば、水平方向に連続する同一の輝度の画素の個数は、２個〜整数［Ｍ／ｍ］個のうちのいずれであってもよい。そのため、水平方向に連続する同一の輝度の画素の個数は、電池残量検知手段１１によって検知された電池１２の残量に応じて決定されてもよい。例えば、連続する同一の輝度の画素の個数は、電池１２の残量が所定の基準値以上の場合は整数［Ｍ／ｍ］個であり、電池１２の残量が所定の基準値より少ない場合は２個であってもよい。また、ユーザが、水平方向に連続させる同一の輝度の画素の個数を決定してもよい。その場合、ユーザは、水平方向に連続させる同一の輝度の画素の個数を入力手段３により入力する。同様にして、垂直方向についても、整数［Ｎ／ｎ］が３以上の整数であれば、垂直方向において連続する同一の輝度の画素の個数は、電池残量検知手段１１によって検知された電池１２の残量に応じて決定されてもよいし、ユーザによって決定されてもよい。
【００５７】
また、上述した実施の形態では、画像生成手段８によって生成された簡易変換画像は、図７に示すように、第１の配列様式の表示手段１０の左上部よりに表示され、第１の配列様式の表示手段１０の右端及び下端には非表示領域が形成されるとした。しかしながら、図１０に示すように、簡易変換画像は、第１の配列様式の表示手段１０の中央に表示されてもよい。このように、簡易変換画像は、第１の配列様式の表示手段１０内のどの位置において表示されてもよい。
【００５８】
また、上述した実施の形態では、整数［Ｍ／ｍ］は、第１の配列様式の表示手段１０の水平方向の各列において存在する画素数Ｍを、原画像の水平方向の各列において存在する画素数ｍ、すなわち、第２の配列様式の表示手段２０の水平方向の各列において存在する画素数ｍで除して得られた数以下の最も大きい整数であるとした。しかしながら、整数［Ｍ／ｍ］は、Ｍをｍで除して得られた数以上の最も小さい整数であってもよい。同様に、整数［Ｎ／ｎ］は、Ｎをｎで除して得られた数以上の最も小さい整数であってもよい。この場合、画像生成手段８は、第１の配列様式の表示手段１０が有する画素数を超えない範囲内において、原画像の中央部の各画素の輝度を水平方向に整数［Ｍ／ｍ］個連続させるとともに垂直方向に整数［Ｎ／ｎ］個連続させて簡易変換画像を生成する。例えば、Ｍ＝８００，Ｎ＝６００，ｍ＝３２０，Ｎ＝２４０，と仮定すると、整数［Ｍ／ｍ］も整数［Ｎ／ｎ］もともに３となり、原画像の左右それぞれ２７画素分、上下それぞれ２０画素分を除く中央部の画像の各画素の輝度が水平方向及び垂直方向にそれぞれ３個づつ連続するように、画像生成手段８は簡易変換画像を生成する。この場合、上述したように、原画像の上下左右の所定の領域は表示されないが、表示された画像は、整数［Ｍ／ｍ］がＭをｍで除して得られた数以下の最も大きい整数であって、かつ整数［Ｎ／ｎ］がＮをｎで除して得られた数以下の最も大きい整数であるとしたときよりも大きく表示される、という効果が得られる。
【００５９】
また、上述した実施の形態では、画像生成手段８は、原画像における各画素の輝度を、単に、水平方向に整数［Ｍ／ｍ］個連続させるとともに垂直方向に整数［Ｎ／ｎ］個連続させて簡易変換画像を生成するとした。しかしながら、画像生成手段８は、原画像における各画素の輝度を単に連続させて簡易変換画像を生成するのではなく、例えば以下のようにして簡易変換画像を生成してもよい。
【００６０】
すなわち、画像生成手段８は、例えば、図１１に示すように、変換画像の水平方向の各列について、列を構成する多数の画素を左端から順に整数［Ｍ／ｍ］個毎の組に分割した場合を想定し、変換画像の全部の画素の輝度を算出するのではなく、各組において中央Ｃに位置する１個の色画素の輝度のみを算出し、各組における画素全部の輝度をその組における中央Ｃに位置する色画素の輝度とすることによって、簡易変換画像を生成してもよい。画像生成手段８がこのようにして簡易変換画像を生成する場合も、画像生成手段８が算出すべき輝度の個数は、画像生成手段８が変換画像を生成する場合よりも少ないので、簡易変換画像の生成に要する電力は、変換画像の生成に要する電力よりも少なくなる。
【００６１】
このように、画像生成手段８は、原画像の内容を保持しつつ、隣接する複数の画素の輝度を同一にして簡易変換画像を生成しさえすればよい。
【００６２】
また、上述した実施の形態では、第１の配列様式の表示手段１０、第２の配列様式の表示手段２０、及び原画像における各色画素は、ストライプ状に配列されているとしたが、各色画素はデルタ状に配列されていてもよい。
【００６３】
以下に、原画像及び第１の配列様式の表示手段１０における各色画素がデルタ状に配列されている場合の簡易変換画像について説明する。この場合、原画像の左上方に位置する画素の一部は例えば図１２に示すように表現され、画像生成手段８は、例えば図１３に示すように、互いに隣接する６個のデルタ状の色画素を一組として、その輝度が原画像における各色の色画素の輝度と同一となるような簡易変換画像を生成する。図１３は、簡易変換画像の左上方に位置する画素の一部を表現している図である。ここで、図１２及び図１３において、Ｒ，Ｇ，Ｂは、赤色の色画素（Ｒ），緑色の色画素（Ｇ），及び青色の色画素（Ｂ）それぞれを意味しており、各Ｒ，Ｇ，Ｂの直下の数字は、その画素の輝度を示している。また、図１２において、各色画素の輝度の直下の（ｘ，ｙ）は、その画素の原画像における位置を示しており、図１３において、各色画素の輝度の直下の（Ｘ，Ｙ）は、その画素の簡易変換画像における位置を示している。
【００６４】
すなわち、図１２に示すように、原画像における各画素がデルタ状に配列されている場合、図１３に示すように、全体としてデルタ状を構成する、６個以上の３の整数倍の個数（図１３では６個）の色画素で形成される各領域の配列が、原画像における各画素の配列と同一となるようにする。そして、各領域における各色の色画素の輝度が、原画像の対応する画素における対応する色の色画素の輝度と同一となるように、簡易変換画像を生成する。このとき図１３のＲ（１，２）やＲ（１，３）のような末端部の色画素は、原画像に対応する色画素がないため、輝度を持たないことになる。このように、原画像における各画素がデルタ状に配列されている場合には、簡易変換画像はデルタ状に配列された各色画素により表示されるので、原画像との視覚的な差異が少なくなるのである。
【００６５】
なお、この場合も、簡易変換画像の各領域における各色の色画素の輝度は同一であるので、簡易変換画像の生成に要する電力は、変換画像の生成に要する電力よりも少なくなる。
【００６６】
次に、原画像における各画素がデルタ状に配列されていて、第１の配列様式の表示手段１０における各画素がストライプ状に配列されている場合の簡易変換画像について説明する。この場合、原画像の左上方に位置する画素の一部は例えば図１２に示すように表現され、画像生成手段８は、例えば図１４に示すように、互いに隣接する９個のデルタ状の色画素を一組として、その輝度が原画像における各色の色画素の輝度と同一となるような簡易変換画像を生成する。図１４は、簡易変換画像の左上方に位置する画素の一部を表現している図である。ここで、図１４において、Ｒ，Ｇ，Ｂ、各Ｒ，Ｇ，Ｂの直下の数字、及びその数字の直下の（Ｘ，Ｙ）は、図１３において対応するものと同じ意味を有するものである。
【００６７】
すなわち、図１２に示すように、原画像における各色画素がデルタ状に配列されている場合、図１４に示すように、全体としてデルタ状を構成する、９個以上の３の整数倍の個数（図１４では９個）の色画素で形成される各領域の配列が、原画像における各画素の配列と同一となるようにする。そして、各領域における各色の色画素の輝度が、原画像の対応する画素における対応する色の色画素の輝度と同一となるように、簡易変換画像を生成する。つまり９個の色画素から構成される三角形の領域と逆三角形の領域が繰り返し隣接することで、全体としてはストライプ状の画素の配列の中に表現されている。このとき図１４のＲ（１，２）やＲ（１，３）のような末端部の色画素は、原画像に対応する色画素がないため、輝度を持たないことになる。つまり上記と同様に、原画像における各画素がデルタ状に配列されている場合には、簡易変換画像はデルタ状に配列された各色画素により表示されるので、原画像との視覚的な差異が少なくなるのである。
【００６８】
この場合も、簡易変換画像の各領域における各色の色画素の輝度は同一であるので、簡易変換画像の生成に要する電力は、変換画像の生成に要する電力よりも少なくなる。
【００６９】
次に、原画像における各色画素がストライプ状に配列されていて、第１の配列様式の表示手段１０における各画素がデルタ状に配列されている場合の簡易変換画像について説明する。この場合、原画像の左上方に位置する画素の一部は例えば図５に示すように表現され、画像生成手段８は、例えば図１５に示すように、水平方向に偶数個並んだ三角形と逆三角形のデルタ状の色画素を一組とし、これをストライプとみなして簡易変換画像を生成する。図１５は、簡易変換画像の左上方に位置する画素の一部を表現している図である。ここで、図１５において、Ｒ，Ｇ，Ｂ、各Ｒ，Ｇ，Ｂの直下の数字、及びその数字の直下の（Ｘ，Ｙ）は、図１３において対応するものと同じ意味を有するものである。
【００７０】
すなわち、図５に示すように、原画像における各画素がストライプ状に配列されている場合、図１５に示すように、少なくとも水平方向に２以上の偶数の個数のデルタ状の画素が連続することにより形成される各領域が、簡易変換画像全体としてストライプ状を構成するようにする。そして、各領域の配列が原画像における各画素の配列と同一となり、かつ、各領域における画素の輝度が、原画像の対応する画素の輝度と同一となるように、簡易変換画像を生成する。このように、原画像における各画素がストライプ状に配列されている場合には、簡易変換画像はストライプ状に配列された各色画素により表示されるので、やはり原画像との視覚的な差異が少なくなる。
【００７１】
この場合も、簡易変換画像の各領域における各画素の輝度は同一であるので、簡易変換画像の生成に要する電力は、変換画像の生成に要する電力よりも少なくなる。
【００７２】
また、上述した実施の形態における第１の配列様式の表示手段１０を備えた画像表示装置は、カラーＬＣＤであってもよいし、ＰＤＰであってもよく、限定されるものではない。また、第１の配列様式の表示手段１０がカラーＬＣＤにおける表示手段である場合、各色画素の色は液晶そのもの色で表現されてもよいし、フィルタによって表現されてもよい。また、上述した実施の形態における赤，緑，青は、それぞれ黄，マゼンダ，シアンに置き換えられてもよい。
【００７３】
また、上述した実施の形態における画像表示装置の制御手段４、画像生成手段８は、ハードウェアにより構成されていてもよいし、ソフトウェアにより構成されていてもよい。
【００７４】
さらに、上述した実施の形態における画像表示装置の制御手段４、画像生成手段８としてコンピュータを機能させるためのプログラムを、所定のコンピュータに適用し、そのコンピュータで、上記各構成手段の機能を実現することも可能である。なお、上記プログラムの使用の実施態様の具体例としては、ＣＤ−ＲＯＭ等の記録媒体に上記プログラムを記録することや、そのプログラムが記録された記録媒体を譲渡することや、インターネット等における通信手段により上記プログラムを通信すること等が含まれる。また、コンピュータに、上記プログラムをインストールすることも含まれる。
【００７５】
【発明の効果】
以上説明したところから明らかなように、本発明は、表示手段が有する画素の数より少ない数の画素で構成されている原画像を、少ない電力で、上記表示手段により表示させる画像表示装置を提供することができる。
【図面の簡単な説明】
【図１】本発明の実施の形態における画像表示装置の構成図
【図２】本発明の実施の形態における画像表示装置の動作手順を示す図
【図３】画像表示装置における表示手段の一例を示す図
【図４】画像表示装置における表示手段の一例を示す図
【図５】原画像の左上方に位置する画素の一部を示す図
【図６】簡易変換画像の左上方に位置する画素の一部を示す図
【図７】簡易変換画像が第１の配列様式の表示手段の左上部よりに表示された状態を示す図
【図８】本発明の実施の形態における画像表示装置の構成図
【図９】本発明の実施の形態における画像表示装置の構成図
【図１０】簡易変換画像が第１の配列様式の表示手段の中央に表示された状態を示す図
【図１１】簡易変換画像の生成方法を説明するための図
【図１２】原画像の左上方に位置する画素の一部を示す図
【図１３】簡易変換画像の左上方に位置する画素の一部を示す図
【図１４】簡易変換画像の左上方に位置する画素の一部を示す図
【図１５】簡易変換画像の左上方に位置する画素の一部を示す図
【図１６】従来の画像表示装置の構成図
【図１７】変換画像の生成方法を説明するための図
【図１８】変換画像の生成方法を説明するための図
【図１９】変換画像を生成する際の処理手順を示す図
【符号の説明】
１  装着手段
３  入力手段
６  受信手段
８  画像生成手段
９  表示制御手段
１０  第１の配列様式の表示手段
１１  電池残量検知手段
１２  電池
【図１】
2004280015.tif 000004
【図２】
2004280015.tif 000005
【図３】
2004280015.tif 000006
【図４】
2004280015.tif 000007
【図５】
2004280015.tif 000008
【図６】
2004280015.tif 000009
【図７】
2004280015.tif 000010
【図８】
2004280015.tif 000011
【図９】
2004280015.tif 000012
【図１０】
2004280015.tif 000013
【図１１】
2004280015.tif 000014
【図１２】
2004280015.tif 000015
【図１３】
2004280015.tif 000016
【図１４】
2004280015.tif 000017
【図１５】
2004280015.tif 000018
【図１６】
2004280015.tif 000019
【図１７】
2004280015.tif 000020
【図１８】
2004280015.tif 000021
【図１９】
2004280015.tif 000022